(57)【特許請求の範囲】
【請求項１】
売上金を回収するための売上金回収手段と、売上金回収予定日を設定する設定手段と、この設定手段によって設定された売上金回収予定日と売上金が回収されたことを記憶する記憶手段と、２４時間を計数することにより日付のカウントを行うタイマーと、売上金が回収されていないことを表示する外部表示手段と、外部から売上金が回収されたか否かの確認を可能にする外部確認手段と、この外部確認手段からの信号を受け売上金が回収されたか否かを前記外部表示手段に出力する演算制御部とから構成され、この演算制御部は、前記設定手段によって売上金回収予定日が設定されると、これを売上金回収予定日設定データとして前記記憶手段に記憶させ、売上金が前記売上金回収手段によって回収されると、これを売上金回収データとして前記記憶手段に記憶させ、このとき前記タイマーから得られた日付と売上金回収予定日が一致すると売上金回収データを消去させ、前記外部確認手段が操作されると、前記記憶手段に売上金回収データが記憶されているか否かを判定し、記憶されていなければ、売上金が未回収の状態であることを前記外部表示手段に表示させることを特徴とした自動販売機の制御装置。
【請求項２】
売上金を回収するための売上金回収手段と、売上金回収予定日を設定する設定手段と、この設定手段によって設定された売上金回収予定日と売上金が回収されたことを記憶する記憶手段と、２４時間を計数することにより日付のカウントを行うタイマーと、売上金が未回収の状態であることと売上金回収予定日を表示する外部表示手段と、外部から売上金が回収されたか否かの確認を可能にする外部確認手段と、この外部確認手段からの信号を受け売上金が回収されたか否かを前記外部表示手段に出力する演算制御部とから構成され、この演算制御部は、前記設定手段によって売上金回収予定日が設定されると、これを売上金回収予定日設定データとして前記記憶手段に記憶させ、売上金が前記売上金回収手段によって回収されると、これを売上金回収データとして前記記憶手段に記憶させ、このとき前記タイマーから得られた日付と売上金回収予定日が一致すると売上金回収データを消去させ、前記外部確認手段が操作されると、前記記憶手段に売上金回収データが記憶されているか否かを判定し、売上金回収データが記憶されていれば、前記記憶手段に記憶された売上金回収予定日を前記外部表示手段に表示させ、記憶されていなければ、売上金が未回収の状態であることを表示させることを特徴とした自動販売機の制御装置。
【請求項３】
売上金を回収するための売上金回収手段と、売上金回収期間を設定する設定手段と、この設定手段によって設定された売上金回収期間と売上金が回収されたことを記憶する記憶手段と、２４時間を計数することにより日付のカウントを行うタイマーと、売上金が未回収の状態であることと売上金回収期間の開始日を表示する外部表示手段と、外部から売上金が回収されたか否かの確認を可能にする外部確認手段と、この外部確認手段からの信号を受け売上金が回収されたか否かを前記外部表示手段に出力する演算制御部とから構成され、この演算制御部は、前記設定手段によって売上金回収期間が設定されると、これを売上金回収期間設定データとして前記記憶手段に記憶させ、売上金が前記売上金回収手段によって回収されると、これを売上金回収データとして前記記憶手段に記憶させ、このとき前記タイマーから得られた日付が売上金回収期間外であれば売上金回収データを消去させ、前記外部確認手段が操作されると、前記記憶手段に売上金回収データが記憶されているか否かを判定し、売上金回収データが記憶されていれば前記記憶手段に記憶された売上金回収期間の開始日を前記外部表示手段に表示させ、記憶されていなければ売上金が未回収の状態であることを表示させることを特徴とした自動販売機の制御装置。
【発明の詳細な説明】
【０００１】
【発明の属する技術分野】
本発明は、自動販売機の売上金の回収に関する制御装置に関するものである。
【０００２】
【従来の技術】
従来の自動販売機の売上金の回収に関する制御装置としては、たとえば特開昭６１−２４８１９１号公報に示されているものがある。
【０００３】
以下、図面を参照しながら上記従来の自動販売機の制御装置を説明する。
【０００４】
図７は従来の自動販売機の制御装置のブロック図である。
【０００５】
図７において、１１は釣銭装置、１２は演算制御装置、１３は情報表示装置、１４は投入金額表示装置、１５は釣銭回収用スイッチ、１６は硬貨計数用装置である。
【０００６】
以上のように構成された自動販売機の制御装置について、以下その動作を説明する。
【０００７】
釣銭回収用スイッチ１５を入れることにより、釣銭装置１１を動作させると同時に釣銭装置１１に設けられた硬貨計数用装置１６を動作させ、釣銭の払出し枚数を計数し、その結果を投入金額表示装置１４に、また情報表示装置１３がある場合には投入金額表示装置１４、及び情報表示装置１３の双方またはいずれか一方の装置に表示する。また、演算制御装置１２の動作を釣銭回収用スイッチ１５に連動させ、硬貨計数用装置１６よりの計数結果を入力し投入金額表示装置１４に釣銭回収時の回収金額を表示し、さらに、釣銭回収時の回収金額の総合計をも投入金額表示装置１４に表示する。
【０００８】
【発明が解決しようとする課題】
しかしながら上記のような構成では、売上金が回収されたか否かを確認をするためにはドアを開けなければならず、非常に手間で時間を要する。
【０００９】
本発明は、上記課題に鑑み、ドア開閉なしに外部から売上金が回収されたか否かの確認を可能にする自動販売機の制御装置を提供するものである。
【００１０】
【課題を解決するための手段】
上記、従来の課題を解決するために、請求項１に記載の発明は、売上金を回収するための売上金回収手段と、売上金回収予定日を設定する設定手段と、この設定手段によって設定された売上金回収予定日と売上金が回収されたことを記憶する記憶手段と、２４時間を計数することにより日付のカウントを行うタイマーと、売上金が回収されていないことを表示する外部表示手段と、外部から売上金が回収されたか否かの確認を可能にする外部確認手段と、この外部確認手段からの信号を受け売上金が回収されたか否かを前記表示手段に出力する演算制御部とから構成され、この演算制御部は、前記設定手段によって売上金回収予定日が設定されると、これを売上金回収予定日設定データとして前記記憶手段に記憶させ、売上金が前記売上金回収手段によって回収されると、これを売上金回収データとして前記記憶手段に記憶させ、このとき前記タイマーから得られた日付と売上金回収予定日が一致すると売上金回収データを消去させ、前記外部確認手段が操作されると、前記記憶手段に売上金回収データが記憶されているか否かを判定し、記憶されていなければ、売上金が未回収の状態であることを前記外部表示手段に表示させるものであり、ドア開閉なしに外部から売上金が回収されたか否かを確認できる作用を有する。
【００１１】
また、請求項２に記載の発明は、売上金を回収するための売上金回収手段と、売上金回収予定日を設定する設定手段と、この設定手段によって設定された売上金回収予定日と売上金が回収されたことを記憶する記憶手段と、２４時間を計数することにより日付のカウントを行うタイマーと、売上金が回収されたか否かを表示する外部表示手段と、外部から売上金が回収されたか否かの確認を可能にする外部確認手段と、この外部確認手段からの信号を受け売上金が回収されたか否かを前記外部表示手段に出力する演算制御部とから構成され、この演算制御部は、前記設定手段によって売上金回収予定日が設定されると、これを売上金回収予定日設定データとして前記記憶手段に記憶させ、売上金が前記売上金回収手段によって回収されると、これを売上金回収データとして前記記憶手段に記憶させ、このとき前記タイマーから得られた日付と売上金回収予定日が一致すると売上金回収データを消去させ、前記外部確認手段が操作されると、前記記憶手段に売上金回収データが記憶されているか否かを判定し、売上金回収データが記憶されていれば、前記記憶手段に記憶された売上金回収予定日を前記外部表示手段に表示させ、記憶されていなければ、売上金が未回収の状態であることを表示させるものであり、売上金が未回収の状態であることを外部表示手段に表示させるばかりでなく、売上金が回収されているときにも前記記憶手段に記憶された売上金回収予定日を表示させるので、ドア開閉なしに外部から売上金が回収されたか否かを確実に確認できる作用を有する。
【００１２】
さらに、請求項３に記載の発明は、売上金を回収するための売上金回収手段と、売上金回収期間を設定する設定手段と、この設定手段によって設定された売上金回収期間と売上金が回収されたことを記憶する記憶手段と、２４時間を計数することにより日付のカウントを行うタイマーと、売上金が回収されたか否かを表示する外部表示手段と、外部から売上金が回収されたか否かの確認を可能にする外部確認手段と、この外部確認手段からの信号を受け売上金が回収されたか否かを前記外部表示手段に出力する演算制御部とから構成されており、この演算制御部は、前記設定手段によって売上金回収期間が設定されると、これを売上金回収期間設定データとして前記記憶手段に記憶させ、売上金が前記売上金回収手段によって回収されると、これを売上金回収データとして前記記憶手段に記憶させ、このとき前記タイマーから得られた日付が売上金回収期間外であれば売上金回収データを消去させ、前記外部確認手段が操作されると、前記記憶手段に売上金回収データが記憶されているか否かを判定し、売上金回収データが記憶されていれば前記記憶手段に記憶された売上金回収期間の開始日を前記外部表示手段に表示させ、記憶されていなければ売上金が未回収の状態であることを表示させるものであり、請求項２に記載の作用に加えて、売上金回収予定日を設定できるばかりでなく、売上金が回収されたか否かをいつまで表示するかをも同時に売上金回収期間として設定できるので、自動販売機管理者の売上金回収の日程に対応できる作用を有する。
【００１３】
【発明の実施の形態】
以下、本発明による自動販売機の制御装置の実施の形態について、図面を参照しながら説明する。
【００１４】
（実施の形態１）
図１は本発明の実施の形態１による自動販売機の制御装置のブロック図、図２は同実施の形態の自動販売機の制御装置の動作を示すフローチャートである。
【００１５】
図１において、１は売上金を回収するための売上金回収手段、２ａは売上金回収予定日を設定する設定手段、３は２４時間を計数することにより日付のカウントを行うタイマー、４ａは設定手段２ａによって設定された売上金回収予定日と売上金が回収されたことを記憶する記憶手段、５は外部から売上金が回収されたか否かの確認を可能にする外部確認手段、６ａは売上金が回収されていないことを表示する外部表示手段、７ａは外部確認手段５からの信号を受け売上金が回収されたか否かを外部表示手段６ａに出力する演算制御部である。
【００１６】
以上から構成された自動販売機の制御装置について、その要部動作を図２のフローチャートに添って具体例を挙げながら説明する。
【００１７】
まず、設定手段２ａにて、毎月２５日を売上金回収予定日とするよう「２５」を入力すると（ＳＴＥＰ１０１）、記憶手段４ａに毎月２５日を売上金回収予定日とすることが売上金回収予定日設定データとして記憶される（ＳＴＥＰ１０２）。
【００１８】
また、売上金回収手段１にて２７日に売上金が回収されると（ＳＴＥＰ１０３）、記憶手段４ａに２７日に売上金が回収されたことが売上金回収データとして記憶される（ＳＴＥＰ１０４）。
【００１９】
毎月、売上金回収予定日である２５日になったことをタイマー３が示すと（ＳＴＥＰ１０５）、売上金回収データは消去される（ＳＴＥＰ１０６）。以上のような記憶手段４ａに記憶された売上金回収予定日設定データ及び売上金回収データに基づいて以下の処理を行う。
【００２０】
外部操作手段５、例えば返却レバーが一定時間操作されたことを示す信号を演算制御部７ａが受けると（ＳＴＥＰ１０７）、演算制御部７ａにて、記憶手段４ａに、売上金回収データが記憶されているか否かを判断し（ＳＴＥＰ１０８）、記憶されていなければ外部表示手段６ａ、例えば金額表示器に売上金が未回収の状態であることを示す「０」を表示させる（ＳＴＥＰ１０９）。売上金回収データが記憶手段４ａに記憶されているときは外部表示手段６ａである金額表示器には何も表示されず、このことで売上金が回収されていることを示す。つまり、外部操作手段５である返却レバーを２６日に操作すると「０」が表示され売上金が未回収であることを示し、２８日に操作すると何も表示されず売上金が回収済みであることを示す。
【００２１】
翌月の２５日になると、売上金回収データは消去され、このときに外部操作手段５である返却レバーが一定時間操作されると、記憶手段４ａには売上金回収データが記憶されていないため、外部表示手段６ａである金額表示器には売上金が未回収の状態であることを示す「０」が表示される。
【００２２】
以上のように本実施の形態の自動販売機の制御装置によれば、外部操作手段５を操作することによって、外部表示手段６ａに売上金が未回収の状態であるときはそのことを示す「０」を表示させ、ドア開閉なしに外部から売上金が回収されたか否かを確認することができる。
【００２３】
（実施の形態２）
図３は本発明の実施の形態２による自動販売機の制御装置のブロック図、図４は同実施の形態の自動販売機の制御装置の動作を示すフローチャートである。なお、実施の形態１と同一構成のものは、同一符号を符してその詳細な説明を省略する。
【００２４】
図３において、６ｂは売上金が未回収の状態であることと売上金回収予定日を表示する外部表示手段、７ｂは外部確認手段からの信号を受け売上金が回収されたか否かを外部表示手段に出力する演算制御部である。
【００２５】
以上から構成された自動販売機の制御装置について、その要部動作を図４のフローチャートに添って具体例を挙げながら説明する。
【００２６】
本実施の形態によるＳＴＥＰ２０１からＳＴＥＰ２０６までの動作は、実施の形態１によるＳＴＥＰ１０１からＳＴＥＰ１０６までの動作と同一である。これにより、記憶手段４ａに記憶された売上金回収予定日設定データ及び売上金回収データに基づいて以下の処理を行う。
【００２７】
外部操作手段５である返却レバーが一定時間操作されたことを示す信号を演算制御部７ｂが受けると（ＳＴＥＰ２０７）、演算制御部７ｂにて、記憶手段４ａに売上金回収データが記憶されているか否かを判断し（ＳＴＥＰ２０８）、記憶されていなければ、外部表示手段６ｂである金額表示器に売上金が未回収の状態であることを示す「０」を表示させ（ＳＴＥＰ２０９）、記憶されていれば、記憶手段４ａに記憶された売上金回収予定日「２５」を表示させる（ＳＴＥＰ２１０）。つまり、外部操作手段５である返却レバーを２６日に操作すると「０」が表示され売上金が未回収であることを示し、２８日に操作すると記憶手段４ａに記憶された売上金回収予定日「２５」が表示され売上金が回収済みであることを示す。
【００２８】
翌月の２５日になると、売上金回収データは消去され、このときに外部操作手段５である返却レバーが一定時間操作されると、記憶手段４ａには売上金回収データが記憶されていないため、外部表示手段６ｂである金額表示器には売上金が未回収の状態であることを示す「０」が表示される。
【００２９】
以上のように本実施の形態の自動販売機の制御装置によれば、外部操作手段５を操作することによって、外部表示手段６ｂに売上金が未回収の状態であるときはそのことを示す「０」を表示させ、回収されていれば記憶手段４ａに記憶された売上金回収予定日「２５」を表示させ、ドア開閉なしに外部から売上金が回収されたか否かを確実に確認することができる。
【００３０】
（実施の形態３）
図５は本発明の実施の形態３による自動販売機の制御装置のブロック図、図６は同実施例の自動販売機の制御装置の動作を示すフローチャートである。なお、上述の実施の形態と同一構成のものは、同一符号を符してその詳細な説明を省略する。
【００３１】
図５において、２ｂは売上金回収期間を設定する設定手段、４ｂは設定手段２ｂによって設定された売上金回収期間と売上金が回収されたことを記憶する記憶手段、６ｃは売上金が未回収の状態であることと売上金回収期間の開始日を表示する外部表示手段、７ｃは外部確認手段からの信号を受け売上金が回収されたか否かを外部表示手段に出力する演算制御部である。
【００３２】
以上から構成された自動販売機の制御装置について、その要部動作を図６のフローチャートに添って具体例を挙げながら説明する。設定手段２ｂにて、毎月１日から１０日と、１５日から２５日を売上金回収期間とするよう「１」「１０」、「１５」「２５」をそれぞれ入力すると（ＳＴＥＰ３０１）、記憶手段４ｂに毎月１日から１０日と、１５日から２５日を売上金回収期間とすることが売上金回収期間設定データとして記憶される（ＳＴＥＰ３０２）。
【００３３】
また、売上金回収手段１にて５日に売上金が回収されると（ＳＴＥＰ３０３）、記憶手段４ｂに５日に売上金が回収されたことが売上金回収データとして記憶される（ＳＴＥＰ３０４）。売上金回収期間外になったことをタイマー３が示すと（ＳＴＥＰ３０５）、売上金回収データは消去される（ＳＴＥＰ３０６）。以上のような記憶手段４ｂに記憶された売上金回収期間設定データ及び売上金回収データに基づいて以下の処理を行う。
【００３４】
外部操作手段５である返却レバーが一定時間操作されたことを示す信号を演算制御部７ｃが受けると（ＳＴＥＰ３０７）、演算制御部７ｃにて、記憶手段４ｂに売上金回収データが記憶されているか否かを判断し（ＳＴＥＰ３０８）、記憶されていなければ、外部表示手段６ｃである金額表示器に売上金が未回収の状態であることを示す「０」を表示させ（ＳＴＥＰ３０９）、記憶されていれば、記憶手段４ｂに記憶された次回の売上金回収期間の開始日である「１」または「１５」を表示させる（ＳＴＥＰ３１０）。つまり、外部操作手段５である返却レバーを４日に操作すると「０」が表示され売上金が未回収であることを示し、６日に操作すると記憶手段４ｂに記憶された次回の売上金回収期間の開始日である「１５」が表示され売上金が回収済みであることを示す。
【００３５】
売上金回収期間外になると売上金回収データは消去され、このときに外部操作手段５である返却レバーが一定時間操作されると、記憶手段４ｂには売上金回収データが記憶されていないため、外部表示手段６ｃである金額表示器には売上金が未回収の状態であることを示す「０」が表示される。また、売上金回収期間外に外部操作手段５である返却レバーが一定時間操作されてもこのことは記憶手段４ｂには記憶されない。
【００３６】
以上のように本実施の形態の自動販売機の制御装置によれば、外部操作手段５を操作することによって、外部表示手段６ｃに売上金が未回収の状態であるときはそのことを示す「０」を表示させ、回収されていれば記憶手段４ｂに記憶された次回の売上金回収期間の開始日「１」及び「１５」を表示させ、ドア開閉なしに外部から売上金が回収されたか否かを確実に確認することができ、また自動販売機管理者の売上金回収の日程に対応できる。
【００３７】
【発明の効果】
以上説明したように、請求項１に記載の本発明の自動販売機の制御装置は、売上金が未回収の状態であるときはそのことを外部表示手段に表示させ、ドア開閉なしに外部から売上金が回収されたか否かを確認できる。
【００３８】
また、請求項２に記載の本発明の自動販売機の制御装置は、売上金が未回収の状態であることを外部表示手段に表示させるばかりでなく、売上金が回収されているときにも前記記憶手段に記憶された売上金回収予定日を表示させ、ドア開閉なしに外部から売上金が回収されたか否かを確実に確認できる。
【００３９】
さらに、請求項３に記載の本発明の自動販売機の制御装置は、売上金回収予定日を設定できるばかりでなく、売上金が回収されたか否かをいつまで表示するかをも同時に売上金回収期間として設定でき、自動販売機管理者の売上金回収の日程に対応できる。
【図面の簡単な説明】
【図１】本発明による自動販売機の制御装置の実施の形態１の要部構成を示すブロック図
【図２】同実施の形態による自動販売機の制御装置の動作を示すフローチャート
【図３】本発明による自動販売機の制御装置の実施の形態２の要部構成を示すブロック図
【図４】同実施の形態による自動販売機の制御装置の動作を示すフローチャート
【図５】本発明による自動販売機の制御装置の実施の形態３の要部構成を示すブロック図
【図６】同実施の形態による自動販売機の制御装置の動作を示すフローチャート
【図７】従来の自動販売機の制御装置の要部構成を示すブロック図
【符号の説明】
１  売上金回収手段
２ａ，２ｂ  設定手段
３  タイマー部
４ａ，４ｂ  記憶手段
５  外部確認手段
６ａ，６ｂ，６ｃ  外部表示手段
７ａ，７ｂ，７ｃ  演算制御部
【図１】
0004325101.tif 000002
【図２】
0004325101.tif 000003
【図３】
0004325101.tif 000004
【図４】
0004325101.tif 000005
【図５】
0004325101.tif 000006
【図６】
0004325101.tif 000007
【図７】
0004325101.tif 000008